(57)【要約】      （修正有）【課題】サイズの異なる形鋼を安価なコストで連結して、曲げモーメントに対する効率的で経済的な支持杭を提供する。【解決手段】地中に掘削した削孔５内に杭本体を挿入し、その周囲にモルタル６やコンクリートなどの硬化材を注入して硬化させる支持杭の構造であって、杭本体１は、ウェブとフランジの幅方向のサイズが異なる二種以上の形鋼２、３を繋いで構成する。サイズの異なる形鋼２、３の間には連結板４を介在させ、その連結板の上面と下面に形鋼の端面を突合せ溶接によって連結する。大きな曲げモーメントが作用する部分のみを厚みの厚い強度の大きな形鋼として、効率的で経済的な支持杭Ａとする。添接板などを使用するよりも、部材点数を少なくし、安価な施工を可能とし、そして鉛直方向の荷重伝達も良好とする。【選択図】図１
0003162264.tif 000002
【実用新案登録請求の範囲】
【請求項１】
地中に掘削した削孔内に杭本体を挿入し、その周囲にモルタルやコンクリートなどの硬化材を注入して硬化させる支持杭の構造であって、
杭本体は、ウェブとフランジの幅方向のサイズが異なる二種以上の形鋼を繋いで構成し、
サイズの異なる形鋼の間には連結板を介在させ、その連結板の上面と下面に形鋼の端面を溶接によって固定して連結してなる
支持杭の構造。
【請求項２】
二種以上のサイズの異なる形鋼は、上方に位置させる形鋼を、下方に位置する形鋼よりサイズが大きいものとすることを特徴とする
請求項１記載の支持杭の構造。
【考案の詳細な説明】
【技術分野】
【０００１】
本考案は、形鋼を使用した支持杭の構造に関するものである。
【背景技術】
【０００２】
地中に埋設して、桟橋などの構造物を支持する支持杭としては、様々な構造のものが採用されている。
これら支持杭にあっては、図７のグラフに示すように、曲げモーメントは杭の全長に一様に作用するのではなく、その一部に大きな曲げモーメントが作用し、他の部分では大きなモーメントは作用しない。
通例では、杭の地表近くからある程度の深さまでに集中的に作用して最大値に達し、それより深い部分には曲げモーメントはほとんど作用しない。
図７のグラフに示すように、地表から２ｍまでに曲げモーメントが最大値に達し、１５ｍほどになると、曲げモーメントは全く作用していない。
つまりは、杭の一部はその曲げモーメントに耐え得る強度を備えておれば、他の部分はそれ以下の強度であればよいことになる。
【０００３】
鋼管杭などであると、径は同じであるが、大きな曲げモーメントが作用する部分を肉厚の厚い鋼管として、作用する曲げモーメントが小さい部分は肉厚の薄い鋼管を採用して、根入れの途中から厚さの薄い鋼管に変えて、これを杭本体として削孔に挿入することが採用されている。
しかしながら、Ｈ形鋼やＩ形鋼などの形鋼を杭本体として採用する場合は、強度を変えるために形鋼の厚みを変えるためには、形鋼が規格化されたものであるだけに、厚みと同時にフランジやウェブの幅も変化することになる。
このサイズが異なる形鋼を上下に繋ぐには、そのサイズの違いによって隙間が生じるフランジとウェブを接続しなければならないという課題が生じる。
しかしながら、形鋼の場合、通常の溶接継手のように、母材同士の突合せ溶接や添接板と母材の隅肉溶接が不可能であるため、通常仕様に準じた溶接継手は無理である。
【０００４】
上記したようなサイズの異なる形鋼を繋ぐためには、例えば図８に示すようなボルトを使用した継手とすることが考えられる。
母材であるサイズの大きい上部形鋼ａと、サイズの小さい下部形鋼ｂのフランジとウェブに添接板ｃを添わし、ボルトｄを貫通してナットｅによって固定するという手段である。
この場合、形鋼が１サイズ異なると、フランジに２５ｍｍの隙間が生じるので、支圧接合とすると隙間調整材ｆをフランジ同士の間に挟む必要が生じる。
これを単にボルトの耐力によって曲げモーメントに耐える支圧接合とすると、隙間調整材ｆを挟んだ部分のボルトに曲げモーメントが生じ、ボルト強度が極端に低下するため、これは現実的でなく、摩擦接合とする必要がある。
しかし、摩擦接合とするには、母材ａ・ｂ、添接板ｃ、隙間調整材ｆに対して、フランジとウェブ両者に摩擦接合面の処理（鋼材の黒皮撤去や良質な錆発生など）が必要になり、通常のボルト接合よりかなりコストアップする。
また、ウェブ部分では、板厚の差が１ｍｍ程度しかないため、隙間調整材ｆでの調整に無理が生じる。
【先行技術文献】
【特許文献】
【０００５】
【特許文献１】特開平９−２９６４２７号公報
【考案の概要】
【考案が解決しようとする課題】
【０００６】
解決しようとする課題は、複数本のサイズの異なる形鋼からなる杭本体が、大きな曲げモーメントに耐え得るよう安価に製造可能とすることである。
【課題を解決するための手段】
【０００７】
本考案にかかる支持杭の構造は、地中に掘削した削孔内に杭本体を挿入し、その周囲にモルタルやコンクリートなどの硬化材を注入して硬化させる支持杭の構造であって、杭本体は、ウェブとフランジの幅方向のサイズが異なる二種以上の形鋼を繋いで構成し、サイズの異なる形鋼の間には連結板を介在させ、その連結板の上面と下面に形鋼の端面を溶接によって固定して連結するものである。
また、本考案にかかる他の支持杭の構造は、二種以上のサイズの異なる形鋼は、上方に位置させる形鋼を、下方に位置する形鋼よりサイズが大きいものとすることを特徴とするものである。
【考案の効果】
【０００８】
本考案にかかる支持杭の構造は、以上のような構成よりなり、以下の効果を得ることができる。
＜ａ＞大きな曲げモーメントが作用する部分の強度を確保するために、サイズ、つまりは厚みの厚い形鋼を使用して、他の部分は厚みの比較的薄い形鋼を使用するため、必要な部分にのみ必要な強度を確保し、他の部分を安価にすることで経済的な設計と施工を可能とする。
＜ｂ＞上方の形鋼と下方の形鋼の間に連結板を介在させ、この連結板に形鋼の端部を溶接するため、サイズの異なる形鋼であっても、添接板や隙間調整板の必要なく連結することができ、大きな曲げモーメントがボルトに集中して、ボルトが破断するようなこともない。
＜ｃ＞サイズの異なる形鋼の間に連結板を介在させ、この連結板に形鋼を溶接するため、通常の溶接継手と比較すると、突合せ溶接が下方の形鋼分だけ多くなる一方、隅肉溶接がなくなるため、隅肉溶接と突合せ溶接の差分だけ溶接量が削減され、通常の溶接継手と変わらない安価なコストで支持杭が製造できる。
＜ｄ＞連結板を上下の形鋼の間に介在させて連結するため、添接板などを使用するよりも鉛直方向の荷重が効率よく伝達し、連結板に発生するモーメントは最小限となる。
＜ｅ＞添接板や隙間調整板を使用しないため、部材点数を少なくして、摩擦接合とする必要もなく、製造コストが極端に高くなることはない。
＜ｆ＞上方の形鋼としてサイズの大きな形鋼を配し、下方の形鋼としてサイズの小さな形鋼を配し、杭本体の地表近くの部分の強度を大きくすることで、通常の地表近くの曲げモーメントが大きく作用する支持杭として効率的な構造とすることができる。
【図面の簡単な説明】
【０００９】
【図１】本考案の支持杭の説明図
【図２】杭本体の組み立て前の斜視図
【図３】杭本体の連結部分の側面図
【図４】杭本体の平面図
【図５】他の杭本体の実施例の側面図
【図６】本考案の支持杭の構造を実施した桟橋の説明図
【図７】支持杭に作用する曲げモーメントのグラフ
【図８】添接板を使用した異なるサイズの形鋼の連結部分の側面図
【考案を実施するための形態】
【００１０】
本考案の支持杭の構造では、サイズの異なる形鋼の間に連結板を介在させ、その連結板に、上下の形鋼の端面をそれぞれ突き合わせ溶接するものである。
【実施例１】
【００１１】
図６に示すのは、本考案にかかる支持杭の構造を実施した桟橋の説明図である。
【００１２】
＜ａ＞杭本体
杭本体１は、異なるサイズの形鋼複数本を上下に連結したものである。
図１〜４に示すのは、上方のＨ形鋼２が、下方のＨ形鋼３よりも、そのウェブの幅のサイズＷ１・Ｗ２とフランジのサイズが共に大きくなっている。
またそれら厚みも、大きいサイズの形鋼２の方が、小さいサイズの形鋼３よりも数ミリ程度厚い。
上方のＨ形鋼２と下方のＨ形鋼３との間に連結板４を介在させ、この上下面に、それぞれ上方のＨ形鋼の下端面と、下方のＨ形鋼の上端面を突き合わせ、溶接によって固定する。
実際は、工場において、上方か下方のいずれかのＨ形鋼２・３のいずれかに連結板４を溶接固定しておき、現場において、他方のＨ型鋼を溶接固定するのが、運搬上、施工上のメリットがある。
以上のような上方のＨ形鋼２、連結板４、下方のＨ形鋼３によって杭本体１を構成するが、更に杭本体１の長さを長くする場合は、更に連結板４を介在させて、形鋼を溶接固定すればよい。
【００１３】
＜ｂ＞削孔への挿入
地盤に削孔５を掘削し、この中に杭本体１を挿入する。
まず連結板４を上端に固定した下方のＨ形鋼３を吊りおろして挿入し、ある程度挿入し終わった時点で、上方のＨ形鋼２を連結板４上に起立させ、下端面を連結板４の上面に溶接固定して、連結する。
その後、杭本体１を所定の深さまで吊り降ろし、削孔５内にモルタル６やコンクリートを注入して支持杭Ａを完成する。
【００１４】
＜ｃ＞桟橋の構築
以上のように構築した複数本の支持杭Ａの上に桟橋を構築する。
【実施例２】
【００１５】
＜ｅ＞他の構成
通常の支持杭Ａにおいては、地表近くの部分に最も大きな曲げモーメントが作用し、通常数メートル深くなると、曲げモーメントはほとんどゼロとなるため、上方の形鋼２のサイズを大きくし、下方の形鋼３のサイズを小さくすることが通常である。
しかしながら、本考案では、作用する曲げモーメントが大きいと予想される部分にサイズの大きな形鋼を使用すればよく、図５に示すように、場合によっては、下方の形鋼３のサイズを上方よりも大きくすることもある。
【符号の説明】
【００１６】
Ａ：支持杭
１：杭本体
２：形鋼
３：形鋼
４：連結板
５：削孔
６：モルタル
【図１】
0003162264.tif 000003
【図２】
0003162264.tif 000004
【図３】
0003162264.tif 000005
【図４】
0003162264.tif 000006
【図５】
0003162264.tif 000007
【図６】
0003162264.tif 000008
【図７】
0003162264.tif 000009
【図８】
0003162264.tif 000010